(57)【要約】【課題】吹出性能を低下させることなく容易に掃除ができる空気調和機の提供。【解決手段】左右風向変更羽根９は、上下風向変更羽根８の一面に設けた羽根ベース１５を介して、羽根ベース１５の一端を中心として回動可能である構成としてある。これにより、左右風向変更羽根９の羽根ベース１５は、上下風向変更羽根８の回動に伴い吹出口６の前方に位置する。そのため、羽根ベース１５が送風ファン５近くの流速の速い通風路７奥側に位置する従来のものに比べ、風路抵抗を低減し高性能化を図ることができる。また、通風路７内等を掃除する際には、左右風向変更羽根９の羽根ベース１５を通風路７の外に位置させることができるので、通風路７内の奥まで手を挿入しなくても、羽根ベース１５における吹出口６中央側端部である自由端部を手前に回動し、通風路７を開放することができ、通風路７内の掃除が容易になる。【選択図】図２
2020094770.tif 000002
【特許請求の範囲】
【請求項１】
本体と、
前記本体内に設けた熱交換器及び送風ファンと、
前記送風ファンの送風方向の下流側に設けた通風路と、
前記通風路の下流側に設けた上下風向変更羽根と、
左右風向変更羽根と、
前記上下風向変更羽根の一面に設けた羽根ベースと、を備え、
前記左右風向変更羽根は、前記羽根ベースを介して、前記羽根ベースの一端を中心として回動可能である
空気調和機。
【請求項２】
前記上下風向変更羽根は、一面に段部を有し、
前記段部に前記羽根ベースを設けた、
請求項１に記載の空気調和機。
【請求項３】
前記左右風向変更羽根と前記羽根ベースをそれぞれ二つずつ備え、
それぞれの前記左右風向変更羽根は、一つの前記羽根ベースを介して、前記上下風向変更羽根の両端部に一つずつ回動可能に設けられた
請求項１または２に記載の空気調和機。
【請求項４】
前記上下風向変更羽根は前記本体に回動可能に支持された軸部を有し、
前記羽根ベースは、前記上下風向変更羽根に前記軸部より下流側で回動可能に設けられた請求項１〜３のいずれか１項に記載の空気調和機。
【発明の詳細な説明】
【技術分野】
【０００１】
本発明は空気調和機に関するものである。
【背景技術】
【０００２】
一般に空気調和機は、空気調和機本体の吸込口から吸い込んだ空気を熱交換器で熱交換した後、熱交換後の空気を吹出口から吹き出し、室内を空調する。空気調和機の運転時、吸込口から吸い込んだ空気中の塵埃等がフィルタを通り抜け、通風路や風向変更羽根等に付着してしまう。
【０００３】
そのため、通風路や風向変更羽根等に付着した塵埃等を容易に掃除できる空気調和機が提案されている。
【０００４】
図１０は空気調和機本体内の通風路や風向変更羽根等に付着した塵埃の掃除を容易にした空気調和機である。図１０における空気調和機は、通風路１０４の下流側に設けた左右羽根１０２のベーンベース１０３を、図１１に示すように略中央部で二つに分割し、ベーンベース１０３の両端を回動可能に係止し、本体内部清掃時はベーンベース１０３を回動させ、ベーンベース１０３の位置を変更して、通風路１０４を開放する構成としてある。
【０００５】
上記構成によれば、複数の板状部材からなる左右羽根１０２を吹出口１０１から取り外さなくても通風路１０４を開放できるので、通風路１０４や左右羽根１０２の掃除が容易にできる、というものである。
【先行技術文献】
【特許文献】
【０００６】
【特許文献１】特許第３５６７８５３号公報
【発明の概要】
【発明が解決しようとする課題】
【０００７】
しかしながら、上記空気調和機は、左右羽根１０２のベーンベース１０３を通風路１０４に設けてあるため、通風路１０４における通風抵抗が大きくなり、吹出性能が低下するという問題があった。
【０００８】
また、通風路１０４内等の掃除が容易になるものの、左右羽根１０２を取り付けたベーンベース１０３を回動させる前に、上下羽根１０５を吹出口１０１から取り外す必要があった。さらに、ベーンベース１０３が吹出口１０１の上流側に位置しているため、吹出口１０１の奥側の狭いスペースに手を挿入してベーンベース１０３の端部を手前に回動させるという困難な操作が必要であった。つまり、掃除のしやすさという観点からは不十分であった。
【０００９】
本発明は上記の問題に鑑みてなしたもので、吹出性能を低下させることなく容易に掃除ができる空気調和機の提供を目的としたものである。
【課題を解決するための手段】
【００１０】
本発明は、上記目的を達成するため、左右風向変更羽根は、上下風向変更羽根の一面に設けた羽根ベースを介して、羽根ベースの一端を中心として回動可能である構成としてある。
【００１１】
左右風向変更羽根は、上下風向変更羽根の一面に設けられているため、上下風向変更羽根が回動し、吹出口が開口することに伴い、左右風向変更羽根は、吹出口の下流に移動する。そのため、左右風向変更羽根が送風ファン近くの流速の速い通風路奥側に位置する従来のものに比べ、風路抵抗を低減し高性能化を図ることができる。
【００１２】
また、左右風向変更羽根は羽根ベースを介して、羽根ベースの一端を中心として回動可能であるため、通風路内等を掃除する際、左右風向変更羽根の羽根ベースを通風路の外に位置させることができる。そのため、通風路内の奥まで手を挿入しなくても、羽根ベースにおける吹出口中央側端部である自由端部を手前に移動させて通風路を開放することができ、通風路内等の掃除が容易になる。
【発明の効果】
【００１３】
本発明は、上記構成により、本体通風路内の掃除がしやすく、吹出性能も良好な空気調和機を提供することができる。
【図面の簡単な説明】
【００１４】
【図１】本発明の実施の形態１に係る空気調和機の室内機を示す断面図
【図２】同実施の形態１に係る室内機の吹出口に設けた上下・左右風向変更羽根の斜視図
【図３】同実施の形態１に係る室内機の吹出口に設けた上下・左右風向変更羽根の要部拡大斜視図
【図４】同実施の形態１に係る室内機の吹出口に設けた上下・左右風向変更羽根の断面図
【図５】同実施の形態１に係る空気調和機の吹出口に設けた上下・左右風向変更羽根の分解斜視図
【図６】同実施の形態１に係る空気調和機の吹出口に設けた左右風向変更羽根の羽根部材と羽根ベースを示す分解斜視図
【図７】同実施の形態１に係る吹出口に設けた左右風向変更羽根における吹出口中央側端部近傍を示す拡大斜視図
【図８】同実施の形態１に係る空気調和機の吹出口に設けた左右風向変更羽根の駆動構成を示す斜視図
【図９】同実施の形態１に係る空気調和機の吹出口に設けた左右風向変更羽根の駆動部を示す平面図
【図１０】従来の空気調和機の吹出口を開いた時の室内機の断面図
【図１１】従来の空気調和機の吹出口に設けた左右風向変更羽根を示す説明図
【発明を実施するための形態】
【００１５】
第１の発明は、本体と、前記本体内に設けた熱交換器及び送風ファンと、前記送風ファンの送風方向の下流側に設けた通風路と、前記通風路の下流側に設けた上下風向変更羽根と、左右風向変更羽根と、前記上下風向変更羽根の一面に設けた羽根ベースと、を備え、前記左右風向変更羽根は、前記羽根ベースを介して、前記羽根ベースの一端を中心として回動可能である構成としてある。
【００１６】
左右風向変更羽根は、上下風向変更羽根の一面に設けられているため、上下風向変更羽根が回動し、吹出口が開口することに伴い、左右風向変更羽根は、吹出口の下流に移動する。そのため、左右風向変更羽根が送風ファン近くの流速の速い通風路奥側に位置する従来のものに比べ、風路抵抗を低減し高性能化を図ることができる。
【００１７】
また、左右風向変更羽根は羽根ベースを介して、羽根ベースの一端を中心として回動可能であるため、通風路内等を掃除する際、左右風向変更羽根の羽根ベースを通風路の外に位置させることができる。そのため、通風路内の奥まで手を挿入しなくても、羽根ベースにおける吹出口中央側端部である自由端部を手前に移動させて通風路を開放することができ、通風路内等の掃除が容易になる。
【００１８】
第２の発明は、第１の発明において、前記上下風向変更羽根は、一面に段部を有し、前記段部に前記羽根ベースを設けた構成としてある。
【００１９】
これにより、上下風向変更羽根の一面に設けた左右風向変更羽根の羽根ベースが、上下風向変更羽根の上面に沿って流れる空気の抵抗が増加することを抑制でき、吹出性能を向上させてより高性能化することができる。
【００２０】
第３の発明は、第１または第２の発明において、前記左右風向変更羽根と前記羽根ベースをそれぞれ二つずつ備え、それぞれの前記左右風向変更羽根は、一つの前記羽根ベースを介して、前記上下風向変更羽根の両端部に一つずつ回動可能に設けられた構成としてある。
【００２１】
これにより、羽根ベースの手前側への回動操作が吹出口の略中央部分で行えるので、羽根ベースの回動操作が容易にでき、通風路内の掃除が容易になる。
【００２２】
第４の発明は、第１〜第３の発明において、前記上下風向変更羽根は前記本体に回動可能に支持された軸部を有し、前記羽根ベースは、前記上下風向変更羽根に前記軸部より下流側で回動可能に設けられた構成としてある。
【００２３】
これにより、左右風向変更羽根の羽根ベースの奥側端部を含むほぼ全体が、通風路の外側に位置するので、羽根ベースの手前への回動操作性が向上し、掃除が更に容易なものとなる。また、左右風向変更羽根を脱着する必要がある場合、羽根ベースの吹出口端部の回転軸が通風路外に位置するので、羽根ベースの脱着も容易になり、掃除の容易化をより一層高めることができる。
【００２４】
以下、本発明に係る空気調和機の実施の形態を、図面に基づき説明する。図面では煩雑さを防ぐため同一構造のものには説明を省略し、符号は必要最小限にとどめていることがある。なお、下記に開示される実施の形態はすべて例示であって、本発明に係る空気調和機に制限を加える意図はない。また、下記に開示される実施の形態では、必要以上の詳細な説明を省略する場合がある。例えば、既によく知られた事項についての詳細な説明や、実質的に同一の構成についての重複する説明を省略する場合がある。これは、説明が不必要に冗長になるのを避けることで、当業者の理解を容易にするためである。
【００２５】
（実施の形態１）
実施の形態１に係る空気調和機は、室内機と室外機が冷媒配管及び制御配線等により互いに接続された、セパレート型の空気調和機である。室内機と室外機によりヒートポンプが構成されており、室外機には圧縮機が設けられている。実施の形態１に係る空気調和機の室内機は、室内の壁面に取り付ける壁掛け式室内機である。
【００２６】
図１は本発明の実施の形態１に係る空気調和機の室内機を示す断面図、図２は同室内機の吹出口に設けた上下・左右風向変更羽根の斜視図、図３は同上下・左右風向変更羽根の要部拡大斜視図、図４は同上下・左右風向変更羽根の断面図、図５は同上下・左右風向変更羽根の分解斜視図、図６は同左右風向変更羽根の羽根部材と羽根ベースを示す分解斜視図、図７は同左右風向変更羽根における吹出口中央側端部近傍を示す拡大斜視図、図８は同左右風向変更羽根の駆動構成を示す斜視図、図９は同左右風向変更羽根の駆動部を示す平面図である。
【００２７】
本実施の形態に係る空気調和機の室内機１は、図１に示すように、上面に開口部２ａを有する本体２と、本体２の前面を覆う前面パネル３とを備えている。
【００２８】
本体２の内部には、開口部２ａから取り入れた室内の空気を熱交換する熱交換器４と、熱交換器４で熱交換された空気を室内に吹き出すための送風ファン５とが設けられている。送風ファン５は、本体２の下方に設けられた吹出口６を通じて、室内に空気を吹き出すように設けられている。また、送風ファン５の送風方向の下流側に設けた通風路７には、吹出口６を開閉するとともに空気の吹き出し方向を上下に変更する上下風向変更羽根８と、空気の吹き出し方向を左右に変更する左右風向変更羽根９と、上下風向変更羽根８の一面に設けた羽根ベース１５とが設けられている。
【００２９】
また、本体２の開口部２ａと熱交換器４との間に、開口部２ａから取り入れた室内の空気に含まれる塵埃を除去するためのフィルタ１０が設けられている。フィルタ１０は、枠体部分と、当該枠体部分に保持された網部分とを備えている。本実施の形態に係る空気調和機は、フィルタ１０の網部分に付着した塵埃を自動で清掃するフィルタ掃除ユニット１１を備えている。
【００３０】
次に、上下風向変更羽根８と左右風向変更羽根９と羽根ベース１５について説明する。
【００３１】
図１に示すように、上下風向変更羽根８は上下２段に２つ設けられている。つまり、室内機１は、２つの上下風向変更羽根８を備えている。それぞれの上下風向変更羽根８は、短手方向の上流側に位置する軸部１２を備えている。軸部１２は本体２の吹出口６両端部分に軸支されている。そのため、上下風向変更羽根８は上下方向に回動自在である。図２に示すように、上下風向変更羽根８のうち、下側の上下風向変更羽根８の上面には、段部１３が備えられている。
【００３２】
図４に示すように、段部１３は、上下風向変更羽根８の短手方向の上流側（軸部１２側）に位置する上流側の面１３ａと、上下風向変更羽根８の短手方向の下流側に位置する下流側の面１３ｂと、上流側の面１３ａと下流側の面１３ｂの間にあり二面と略垂直に交わる壁面とを有する。下流側の面１３ｂは、上流側の面１３ａと略水平に、上流側の面１３ａよりも低く位置している。また、下流側の面１３ｂは、上下風向変更羽根８の長手方向において、少なくとも左右風向変更羽根９を設けた部分が、上流側の面１３ａよりも低く位置している。
【００３３】
図２に示すように、下側の上下風向変更羽根８は、下流側の面１３ｂに２つの左右風向変更羽根９を備えている。それぞれの左右風向変更羽根９は、１つずつ上下風向変更羽根８の両端部に回動可能に設けられている。なお、上下風向変更羽根８の両端部とは、上下風向変更羽根８の上面を長手方向に略３分割した場合に、両端に位置する２つの面である。
【００３４】
左右風向変更羽根９は、羽根ベース１５を介して、上下風向変更羽根８に設けられている。羽根ベース１５は複数の羽根部材１４を軸支するための板状部材である。羽根ベース１５は２つあり、それぞれを上下風向変更羽根８に設けてある。また、羽根ベース１５の吹出口端部側は上下風向変更羽根８に回動自在に軸支され、羽根ベース１５における吹出口中央側端部が固定されない自由端とされている。そのため、図２に示すように、２つの羽根ベース１５はそれぞれ、吹出口中央側端部を手前に回動できる。
【００３５】
詳述すると、図５、図６に示すように、上下風向変更羽根８は、段部１３の下流側の面１３ｂにおいて吹出口端部側に設けられた軸受孔１７と、段部１３の下流側の面１３ｂの略中央部分に設けられたストッパー用孔１９と、段部１３の壁面に設けられた少なくとも１つの固定孔１２ａとを備えている。上流側の面１３ａにおいて、固定孔１２ａを設けた箇所には、上流側の面１３ａから略垂直方向に突出する膨らみを設けている。これにより、固定孔１２ａを設けた箇所の強度低下を防止できる。
【００３６】
また、羽根ベース１５は、吹出口端部側に設けられた回転軸１６と、吹出口中央側端部に設けられたストッパーリブ１８と、吹出口中央側端部に設けられた把手部２０と、羽根ベース１５の上面から略垂直方向に突出する複数の軸１５ａと、羽根ベース１５の上流側の長手方向に位置する複数の固定突起部１２ｂ（図７に示す）とを有している。
【００３７】
図５に示すように、回転軸１６は、羽根ベース１５の下面から略垂直方向に突出する軸である。回転軸１６は軸受孔１７に挿入可能である。回転軸１６を軸受孔１７に挿入して、係合部を中心に羽根ベース１５を回動自在としている。
【００３８】
ストッパーリブ１８は、羽根ベース１５の下面から略垂直方向に突出するリブである。図５において、ストッパーリブ１８は図示していないが、図６に示すように、ストッパーリブ１８は把手部２０の後ろに位置している。ストッパーリブ１８はストッパー用孔１９に挿入可能である。ストッパーリブ１８をストッパー用孔１９に挿入することで、羽根ベース１５を上下風向変更羽根８の上面に固定できる。さらに、固定孔１２ａは、図７に示す固定突起部１２ｂに嵌合することでも、羽根ベース１５を上下風向変更羽根８の上面に固定できる。これにより、通風路７等を掃除する際以外に、意図せず左右風向変更羽根９が手前に開かないように、左右風向変更羽根９を上下風向変更羽根８の上面に固定できる。把手部２０は、ストッパーリブ１８の手前に位置し、羽根ベース１５の上方略垂直方向に突出するように設けられた突出物である。把手部２０に指をかけて手前に引っ張ると、羽根ベース１５は回転軸１６と軸受孔１７の係合部を中心に回動する。把手部２０はスリット孔を有しており、空気調和機の運転時に吹出口６から吹き出された空気がスリット孔に流れるため、把手部２０に結露が生じにくくなる。
【００３９】
また、図３に示すように、軸受孔１７を軸部１２より手前に設けてある。そのため、上下風向変更羽根８を回動させて吹出口６を開いた際、左右風向変更羽根９の吹出口側端部を含むほぼ全体が通風路７の外側に位置し、通風路７内の掃除が容易になる。
【００４０】
図６に示すように、各羽根部材１４は、吹出口６から吹き出された空気を整流する主面と、羽根部材１４の最下面に位置し主面と略垂直に位置するベース面と、ベース面の略中央に設けられた穴である軸受部２１と、主面の下部から下方略垂直方向に突出する軸であるピン軸２２ａと、ピン軸２２ａと対向する位置に設けられベース面から上方略垂直方向に突出する軸である連係ピン２２ｂを有している。
【００４１】
図７に示すように、連動アーム２３はスリット溝２４を有する板状部材である。スリット溝２４は、上下風向変更羽根８の長手方向に長い略楕円状の貫通孔である。
【００４２】
図６、図７に示すように、軸受部２１に軸１５ａが挿入される。これにより、各羽根部材１４は左右方向に回動自在である。また、スリット溝２４にピン軸２２ａが挿入される。これにより、連動アーム２３を左右方向にスライドさせたとき、複数の羽根部材１４を同方向に統一できる。
【００４３】
さらに、図８、図９に示すように、左右風向変更羽根９は、羽根ベース１５の吹出口端部側に位置するレバーアーム２５、駆動アーム２７を備えている。レバーアーム２５は、上下風向変更羽根８の長手方向に長い略平板状の部材である。駆動アーム２７は、上下風向変更羽根８の長手方向に長い略棒状の部材である。レバーアーム２５における吹出口６中央側端部は、最も吹出口端部側に位置する羽根部材１４ａを介して連動アーム２３に連結されている。
【００４４】
図６に示すように、最も吹出口端部側に位置する羽根部材１４ａの連係ピン２２ｂは、レバーアーム２５における吹出口６中央側端部の一端に設けた係合孔２５ａに挿入されている。レバーアーム２５の吹出口端部側の他端は、駆動アーム２７における吹出口６中央側端部の一端に連結されている。駆動アーム２７の吹出口端部側の他端は、レバー３０を介して、モータ２６の軸に連結されている。レバー３０は、モータ２６の回転運動を駆動アーム２７の左右方向の運動に変換する部材である。尚、上記モータ２６は、図８、図９では上下風向変更羽根８に設けてあるように見えるが、本体２側に設けてある。
【００４５】
モータ２６の回転動作は、レバー３０により、駆動アーム２７の左右方向の動作に変換される。駆動アーム２７の左右方向の動作は、レバーアーム２５に伝達され、最も吹出口端部側に位置する羽根部材１４ａを左右方向に動作させるとともに、連動アーム２３を左右方向に動作させる。そして、連動アーム２３は、他の羽根部材１４の方向を最も吹出口端部側に位置する羽根部材１４ａの方向に揃えることができる。つまり、モータ２６の回転動作により、全ての羽根部材１４の方向を揃えることができる。
【００４６】
図８、図９に示すように、レバーアーム２５は、上下風向変更羽根８の長手方向に長い溝３１を備える平面部と、平面部から上下風向変更羽根８の回転軸方向に突出する連結アーム部２８を備えている。連結アーム部２８の先端には軸受が設けられている。
【００４７】
駆動アーム２７は、上下風向変更羽根８の長手方向に長い棒状部と、棒状部における吹出口６中央側端部の一端に設けられレバー３０と接続するレバー接続部と、棒状部の中央側端部方向の他端から上下風向変更羽根８の回転軸方向に突出する駆動側連結アーム部２９とを備えている。駆動側連結アーム部２９の先端には、軸が設けられている。
【００４８】
駆動側連結アーム部２９の軸は、連結アーム部２８の軸受に挿入される。駆動側連結アーム部２９の軸は、連結アーム部２８の軸受内で、回転方向の動作は自在であり、左右方向の動作は規制される。駆動側連結アーム部２９の軸と連結アーム部２８の軸受の中心軸は、上下風向変更羽根８の軸部１２の中心軸と同軸上に位置する。これにより、上下風向変更羽根８が上下方向に回動しても、駆動側連結アーム部２９の軸と、連結アーム部２８の軸受との係合が外れることがない。
【００４９】
また、上下風向変更羽根８は、軸部１２の中心軸と同軸上に位置する部分に、ガイド凹部３２を備えている。本実施の形態では、ガイド凹部３２は、上下風向変更羽根８の短手方向上流側に設けられている。駆動側連結アーム部２９の軸と連結アーム部２８の軸受は、係合した状態で、ガイド凹部３２に挿入されている。さらに、レバーアーム２５の溝３１には、上下風向変更羽根８に設けた凸部が挿入されている。つまり、溝３１とガイド凹部３２によって、レバーアーム２５の左右方向以外の動作を規制しているので、レバーアーム２５の左右方向の動作を、円滑な動作にできる。
【００５０】
次に、上記のように構成された空気調和機において、作用効果について説明する。
【００５１】
本実施の形態に係る空気調和機は、空調運転を開始すると、上下風向変更羽根８が開制御されて吹出口６が開放される。さらに、送風ファン５が駆動することで、室内の空気が開口部２ａを介して室内機の内部に取り入れられる。取り入れられた空気は、熱交換器４で熱交換され、送風ファン５を通過し、送風ファン５の送風方向の下流側に形成された通風路７を通過して、吹出口６より吹き出される。吹出口６より吹き出される空気は、上下風向変更羽根８と左右風向変更羽根９によって風向を変え、室内を冷房もしくは暖房する。
【００５２】
左右風向変更羽根９は、下側の上下風向変更羽根８の上面に位置する。また、それぞれの上下風向変更羽根８は短手方向の上流側に軸部１２を備え、軸部１２は本体２の吹出口６の両端部分に軸支されているため、上下風向変更羽根８は上下方向に回動自在である。そのため、上下風向変更羽根８の開口に伴い、左右風向変更羽根９の奥側端部を含むほぼ全体が吹出口の下流に位置する。これにより、左右風向変更羽根が通風路に位置する従来のものに比べ、風路抵抗を低減できる。すなわち、吹出性能の低下を抑制できる。
【００５３】
また、本実施の形態では、通風抵抗となりやすい羽根ベース１５を、上下風向変更羽根８に形成した段部１３の下流側の面１３ｂに設けている。そのため、羽根ベース１５が上下風向変更羽根８から突出する寸法を減少、もしくは、なくすことができる。つまり、下側の上下風向変更羽根８の上面に沿って流れる空気の抵抗を少なくできる。これにより、上下風向変更羽根８に、左右風向変更羽根９の羽根ベース１５を設けたことにより生じる吹出性能の低下を抑制できる。
【００５４】
一方、上下風向変更羽根８を手前に回動させて吹出口６を開口すれば、下側の上下風向変更羽根８の上面に設けてある左右風向変更羽根９が、吹出口６の前方に位置する。つまり、羽根ベース１５が通風路７の外に位置する。そして、羽根ベース１５の自由端部を手前に回動すると、通風路７を開放でき、通風路７内の掃除が容易になる。
【００５５】
また、羽根ベース１５を２つ設け、羽根ベース１５の手前への回動操作を、吹出口６の一端ではなく、上下風向変更羽根８の長手方向における略中央部分で行う。羽根ベース１５を１つで構成し、羽根ベース１５の一端部を上下風向変更羽根８に軸支し、他端を自由端として回動する構成としてもよいが、羽根ベース１５を１つで構成した場合、自由端が吹出口６の端部近傍に位置し、羽根ベース１５を手前側に回動させにくくなる。しかしながら、本実施の形態のように、羽根ベース１５が２つあり、それぞれの羽根ベース１５の吹出口端部側を上下風向変更羽根８に軸支し、自由端部を手前側に回動自在とすれば、吹出口６の略中央部分で羽根ベース１５を手前側へと回動できる。これにより、羽根ベース１５を１つ設けた場合よりも、羽根ベース１５を２つ設けた場合のほうが、通風路７内の掃除が容易になる。
【００５６】
また、羽根ベース１５における吹出口６中央側端部である自由端部には、把手部２０が設けてある。把手部２０を手前側に引っ張れば、ストッパーリブ１８がストッパー用孔１９から外れ、固定突起部１２ｂが固定孔１２ａから外れる。そのため、容易に羽根ベース１５を手前側に回動できる。
【００５７】
また、羽根ベース１５の吹出口端部側は、上下風向変更羽根８の軸部１２より手前側に上下風向変更羽根８の下流側の面１３ｂに軸支されている。よって、左右風向変更羽根９の羽根ベース１５は、上下風向変更羽根８を開いた時、左右風向変更羽根９の奥側端部を含むほぼ全体が通風路７の外側に位置する。そのため、羽根ベース１５の手前側への回動操作がしやすくなり、掃除が更に容易になる。
【００５８】
また、羽根ベース１５の吹出口端部側に設けた回転軸１６が、通風路７外に位置するため、回転軸１６と軸受孔１７の脱着が容易になる。そのため、左右風向変更羽根９の上下風向変更羽根８からの脱着が容易になり、掃除が更に容易になる。
【００５９】
以上、本発明に係る空気調和機について、実施の形態に基づいて説明したが、本発明は上記実施の形態に限られない。さらに、本発明の技術的思想の範囲を逸脱しない範囲で、空気調和機の構成に適宜変更を加えることは可能である。例えば、本実施の形態では室内機と室外機が別体となったセパレート型の空気調和機を例示して説明したが、室内機と室外機が一体化した一体型の空気調和機であってもよい。また、左右風向変更羽根９の羽根ベース１５は２つに分割したものを例示したが、１つであってもよい。つまり、本発明の範囲は、特許請求の範囲によって示され、特許請求の範囲と均等の意味及び範囲内でのすべての変更が含まれるものである。
【産業上の利用可能性】
【００６０】
本発明は、上記したように、本体通風路内の掃除がしやすく、吹出性能も良好な空気調和機を提供することができ、家庭用及び業務用の空気調和機に広く適用することができる。
【符号の説明】
【００６１】
１  室内機
２  本体
２ａ  開口部
３  前面パネル
４  熱交換器
５  送風ファン
６  吹出口
７  通風路
８  上下風向変更羽根
９  左右風向変更羽根
１０  フィルタ
１１  フィルタ掃除ユニット
１２  軸部
１２ａ  固定孔
１２ｂ  固定突起部
１３  段部
１３ａ  上流側の面
１３ｂ  下流側の面
１４  羽根部材
１４ａ  最も吹出口端部側に位置する羽根部材
１５  羽根ベース
１６  回転軸
１７  軸受孔
１８  ストッパーリブ
１９  ストッパー用孔
２０  把手部
２１  軸受部
２２ａ  ピン軸
２３  連動アーム
２４  スリット溝
２５  レバーアーム
２６  モータ
２７  駆動アーム
２８  連結アーム部
２９  駆動側連結アーム部
３０  レバー
３１  溝
３２  ガイド凹部
【図１】
2020094770.tif 000003
【図２】
2020094770.tif 000004
【図３】
2020094770.tif 000005
【図４】
2020094770.tif 000006
【図５】
2020094770.tif 000007
【図６】
2020094770.tif 000008
【図７】
2020094770.tif 000009
【図８】
2020094770.tif 000010
【図９】
2020094770.tif 000011
【図１０】
2020094770.tif 000012
【図１１】
2020094770.tif 000013